(57)【要約】【課題】制御機構を保持する保持器を板状部材によって着座部に取り付ける構成において、保持器が取り付けられる板状部材の取り付け部が露出するのを抑える。【解決手段】シートに着座しているときの着座者の状態に関する計測値を計測する圧力センサと、振動付与動作を行う振動付与装置６２と、圧力センサの計測結果に応じて振動付与装置６２を制御するＥＣＵ７０と、ＥＣＵ７０を保持する保持器８０と、保持器８０を着座部１１の下部フレーム１１ｄに取り付けるために下部フレーム１１ｄに固定される取り付けブラケット９０と、を有し、取り付けブラケット９０は、保持器８０の外壁８０ａが所定の取り付け方向において取り付けられる取り付け用突起９１を備え、取り付け用突起９１に外壁８０ａが取り付けられた状態では、取り付け用突起９１が取り付け方向において外壁８０ａに覆われている。【選択図】図１０
2018079238.tif 000002
【特許請求の範囲】
【請求項１】
着座者が着座する着座部と、
該着座部に着座しているときの着座者の状態に関する計測値を計測するセンサと、
可動部を有し、該可動部を動かす動作を行う可動装置と、
前記センサの計測結果に応じて前記可動装置の前記動作を制御する制御機構と、
該制御機構を保持する保持器と、
該保持器を前記着座部に取り付けるために前記着座部に固定される板状部材と、を有し、
該板状部材は、前記保持器が有する被取り付け部が所定の取り付け方向において取り付けられる取り付け部を備え、
前記取り付け部に前記被取り付け部が取り付けられた状態では、前記取り付け部が前記取り付け方向において前記被取り付け部に覆われていることを特徴とする座席装置。
【請求項２】
前記取り付け部は、前記取り付け方向において互いに離れた位置に形成された第一取り付け部及び第二取り付け部を有し、
前記板状部材は、該板状部材を前記着座部に固定するために形成された板状部材固定部を有し、
該板状部材固定部は、前記取り付け方向において前記第一取り付け部及び前記第二取り付け部の間に形成されていることを特徴とする請求項１に記載の座席装置。
【請求項３】
前記着座部の下部は、フレームを有し、
前記板状部材は、該板状部材が前記着座部に固定された状態において前記フレームの縁部と係合している係合部を有し、
該係合部は、前記取り付け方向と交差する係合方向において前記フレームの縁部と係合していることを特徴とする請求項１又は２に記載の座席装置。
【請求項４】
前記係合部は、前記取り付け方向において互いに離れた位置に形成された第一係合部及び第二係合部を有し、
前記板状部材は、該板状部材が前記着座部に固定された状態において前記フレームの下面に当接している当接部を有し、
該当接部は、前記取り付け方向において互いに離れた位置に形成された第一当接部及び第二当接部を有し、
前記第一係合部及び前記第一当接部を連結するように延出した第一連結リブと、
前記第二係合部及び前記第二当接部を連結するように延出した第二連結リブと、が前記板状部材に設けられていることを特徴とする請求項３に記載の座席装置。
【請求項５】
前記着座部の前端部は、下方に向かって下がった部分を有し、
前記着座部の前端部のうち、下方に向かって下がった部分は、前記保持器の前端よりも前方に位置し、前記着座部の前後方向において前記保持器の前端の少なくとも一部を覆っていることを特徴とする請求項１乃至４のいずれか一項に記載の座席装置。
【請求項６】
前記取り付け方向は、前記着座部の前後方向又は前記着座部の横幅方向に沿う方向であり、
前記取り付け部は、前記板状部材が前記着座部に固定された状態において前記着座部の上下方向に沿って突出していることを特徴とする請求項１乃至５のいずれか一項に記載の座席装置。
【請求項７】
前記可動装置に電力を供給するバッテリを有し、
前記保持器は、前記制御機構と共に前記可動装置及び前記バッテリを保持することを特徴とする請求項１乃至６のいずれか一項に記載の座席装置。
【発明の詳細な説明】
【技術分野】
【０００１】
本発明は、座席装置に係り、特に、着座部とセンサと可動装置と制御機構とを有する座席装置に関する。
【背景技術】
【０００２】
椅子やシート等の着座部を有する座席装置の中には、着座部に着座している着座者の状態（例えば、覚醒度合い）を検知するためにセンサが取り付けられているものが存在する。また、着座者の状態に応じて所定の動作を行うデバイス（可動装置）を備える座席装置も存在する。このような座席装置では、通常、制御機構が設けられている。制御機構は、上記のセンサの計測結果に応じて可動装置を制御する。
【０００３】
上述した制御機構を備える座席装置では、制御機構は、着座部の所定位置に取り付けられる場合がある。一例を挙げて具体的に説明すると、特許文献１の椅子では、制御機構であるＥＣＵ（Ｅｌｅｃｔｒｉｃａｌ Ｃｏｎｔｒｏｌ Ｕｎｉｔ）が保持器に保持される。そして、特許文献１に記載の椅子では、ＥＣＵを保持した状態の保持器が着座部の下面にネジ止めされることで、ＥＣＵが保持器を介して着座部に取り付けられる構成となっている。
【先行技術文献】
【特許文献】
【０００４】
【特許文献１】特開２０１６−１８５２５６号公報
【発明の概要】
【発明が解決しようとする課題】
【０００５】
ところで、保持器を介して制御機構を着座部に取り付ける方法としては、着座部にブラケット等の板状部材を固定し、板状部材の所定部位（取り付け部）に、制御機構を保持した状態の保持器を取り付けることが考えられる。このような構成を採用する場合には、座席装置の品質を確保する観点から、保持器が取り付けられる板状部材の取り付け部を極力露出させないことが重要となる。
【０００６】
また、上記の板状部材を用いて制御機構を着座部に取り付ける場合には、制御機構を保持した保持器を板状部材に対して容易に取り付けられるのが望ましい。
【０００７】
そこで、本発明は、上記の問題に鑑みてなされたものであり、その目的は、制御機構を保持する保持器を板状部材によって着座部に取り付ける構成において、保持器が取り付けられる板状部材の取り付け部が露出するのを抑えることが可能な座席装置を提供することである。
また、本発明の他の目的は、制御機構を保持した保持器を板状部材によって着座部に取り付ける際により容易に取り付けることである。
【課題を解決するための手段】
【０００８】
前記課題は、本発明の座席装置によれば、着座者が着座する着座部と、該着座部に着座しているときの着座者の状態に関する計測値を計測するセンサと、可動部を有し、該可動部を動かす動作を行う可動装置と、前記センサの計測結果に応じて前記可動装置の前記動作を制御する制御機構と、該制御機構を保持する保持器と、該保持器を前記着座部に取り付けるために前記着座部に固定される板状部材と、を有し、該板状部材は、前記保持器が有する被取り付け部が所定の取り付け方向において取り付けられる取り付け部を備え、前記取り付け部に前記被取り付け部が取り付けられた状態では、前記取り付け部が前記取り付け方向において前記被取り付け部に覆われていることにより解決される。
【０００９】
上記のように構成された本発明の座席装置では、制御機構を保持した保持器を板状部材によって着座部に取り付ける際、所定の取り付け方向において板状部材の取り付け部に保持器の被取り付け部を取り付ける。そして、取り付け部に被取り付け部が取り付けられた状態では、当該取り付け部が取り付け方向において被取り付け部に覆われている。すなわち、制御機構が着座部に取り付けられた状態では、板状部材の取り付け部の露出が保持器（厳密には被取り付け部）によって抑制されるようになる。
【００１０】
また、上記の座席装置において、前記取り付け部は、前記取り付け方向において互いに離れた位置に形成された第一取り付け部及び第二取り付け部を有し、前記板状部材は、該板状部材を前記着座部に固定するために形成された板状部材固定部を有し、該板状部材固定部は、前記取り付け方向において前記第一取り付け部及び前記第二取り付け部の間に形成されているとよい。
上記の構成では、板状部材が有する第一取り付け部と第二取り付け部の間に板状部材固定部が形成されている。換言すると、取り付け方向において板状部材固定部の外側に第一取り付け部及び第二取り付け部が設けられている。このような構成であれば、板状部材固定部にて板状部材を着座部に固定することが原因で各々の取り付け部に保持器の被取り付け部を取り付ける作業に支障を来してしまう状況を回避し易くなる。
【００１１】
また、上記の座席装置において、前記着座部の下部は、フレームを有し、前記板状部材は、該板状部材が前記着座部に固定された状態において前記フレームの縁部と係合している係合部を有し、該係合部は、前記取り付け方向と交差する係合方向において前記フレームの縁部と係合しているとよい。
上記の構成では、板状部材が係合部を有し、板状部材が着座部に固定された状態では、着座部が有するフレームの縁部に上記の係合部が係合している。このような構成であれば、板状部材の姿勢を安定させながら板状部材をフレームに固定しておくことが可能となる。
【００１２】
また、上記の座席装置において、前記係合部は、前記取り付け方向において互いに離れた位置に形成された第一係合部及び第二係合部を有し、前記板状部材は、該板状部材が前記着座部に固定された状態において前記フレームの下面に当接している当接部を有し、該当接部は、前記取り付け方向において互いに離れた位置に形成された第一当接部及び第二当接部を有し、前記第一係合部及び前記第一当接部を連結するように延出した第一連結リブと、前記第二係合部及び前記第二当接部を連結するように延出した第二連結リブと、が前記板状部材に設けられているとよい。
上記の構成では、板状部材の係合部が第一係合部及び第二係合部を有する。また、板状部材は、板状部材が着座部に固定された状態においてフレームの下面に当接している当接部として、第一当接部及び第二当接部を有する。さらに、第一係合部及び第一当接部を連結する第一連結リブと、第二係合部及び第二当接部を連結する第二連結リブと、が板状部材に設けられている。このような構成であれば、各係合部及び各当接部の剛性を向上させることが可能となる。これにより、各係合部は、着座部のフレームの縁部に係合している状態を適切に維持するようになり、また、各当接部は、フレームの下面に当接している状態を適切に維持するようになる。
【００１３】
また、上記の座席装置において、前記着座部の前端部は、下方に向かって下がった部分を有し、前記着座部の前端部のうち、下方に向かって下がった部分は、前記保持器の前端よりも前方に位置し、前記着座部の前後方向において前記保持器の前端の少なくとも一部を覆っているとよい。
上記の構成では、着座部の前端部のうち、下方に向かって下がった部分を有し、当該部分が保持器の前端の一部を覆っている。すなわち、上記の構成によれば、着座部の前端部の一部分を利用して、保持器の前端を保護することが可能となる。
【００１４】
また、上記の座席装置において、前記取り付け方向は、前記着座部の前後方向又は前記着座部の横幅方向に沿う方向であり、前記取り付け部は、前記板状部材が前記着座部に固定された状態において前記着座部の上下方向に沿って突出しているとよい。
上記の構成では、板状部材において、取り付け部が着座部の上下方向に沿って突出している。そして、板状部材の取り付け部に保持器の被取り付け部を取り付ける際には、着座部の前後方向又は着座部の横幅方向に沿って取り付ける。このような構成であれば、着座部の上下方向に沿って取り付け部に被取り付け部を取り付ける構成に比して、より容易に取り付けることが可能となる。
【００１５】
また、上記の座席装置において、前記可動装置に電力を供給するバッテリを有し、前記保持器は、前記制御機構と共に前記可動装置及び前記バッテリを保持するとよい。
上記の構成では、制御機構を保持する保持器が可動装置及びバッテリを保持する部材として兼用される。このような構成であれば、制御機構、可動装置及びバッテリのそれぞれに対して保持器を個別に設ける構成と比較して、部品点数（保持器の個数）をより少なくすることが可能となる。
【発明の効果】
【００１６】
本発明の座席装置によれば、制御機構を保持した保持器を板状部材によって着座部に取り付けた状態では、板状部材の取り付け部の露出を保持器によって抑制することが可能となる。
また、本発明の座席装置によれば、板状部材固定部にて板状部材を着座部に固定することが原因で取り付け部に保持器の被取り付け部を取り付ける作業に支障を来してしまう状況を回避し易くなる。
また、本発明の座席装置によれば、板状部材の姿勢を安定させながら板状部材をフレームに固定しておくことが可能となる。
また、本発明の座席装置によれば、係合部及び当接部の剛性を向上させることが可能となる。これにより、係合部は、着座部のフレームの縁部に係合している状態を適切に維持するようになり、当接部は、フレームの下面に当接している状態を適切に維持するようになる。
また、本発明の座席装置によれば、着座部の前端部の一部分を利用して、保持器の前端を保護することが可能となる。
また、本発明の座席装置によれば、板状部材の取り付け部に保持器の被取り付け部を取り付ける際、着座部の前後方向又は着座部の横幅方向に沿って取り付けるので、着座部の上下方向に沿って取り付け部に被取り付け部を取り付ける構成に比して、より容易に取り付けることが可能となる。
また、本発明の座席装置において、制御機構を保持する保持器が可動装置及びバッテリを保持する部材として兼用されるため、制御機構、可動装置及びバッテリのそれぞれに対して保持器を個別に設ける構成と比較して、部品点数（保持器の個数）がより少なくなる。
【図面の簡単な説明】
【００１７】
【図１】本発明の一実施形態に係る座席装置の外観を示す斜視図である。
【図２Ａ】着座部の外観図である。
【図２Ｂ】着座部の構成についての説明図である。
【図３】着座部周辺にある機器の配置位置を示す側方断面図である。
【図４】着座部の前端部を側方から見たときの図である。
【図５】制御機構を保持した状態の保持器を上方から見た図である。
【図６】バッテリを保持した状態の保持器を下方から見た図である。
【図７】保持器に制御機構、可動装置及びバッテリを保持する方法に関する図である。
【図８】板状部材を用いて保持器を着座部のフレームに取り付ける方法に関する図である。
【図９Ａ】板状部材の斜視図である。
【図９Ｂ】板状部材の正面図である。
【図１０】着座部のフレームに取り付けられた保持器を上方から見た図である。
【図１１】図１０のＡ−Ａ断面図である。
【図１２】図３中、板状部材周辺を拡大した図である。
【発明を実施するための形態】
【００１８】
以下、本発明の一実施形態（本実施形態）に係る座席装置について説明する。本実施形態に係る座席装置は、一般的な椅子や座席シートに対して、着座者の覚醒度合いに応じて変化する計測値を計測するセンサ、センサの計測結果に応じて作動する装置（デバイス）及びその関連機器を組み付けることで構成される。そして、本実施形態に係る座席装置によれば、着座者の覚醒度合いが低下した際に、覚醒度合いの変化をセンシングし、覚醒度合いに応じて上記のデバイスを作動させることで着座者に適切な刺激を付与する。これにより、着座者の覚醒度合いを高める（回復させる）ことが可能となる。
【００１９】
以下では、一般的な事務椅子に上記のセンサやデバイス等を組み付けることで構成される座席装置を例に挙げて、当該座席装置の構成について説明することとする。なお、以下に説明する実施形態は、あくまでも一例に過ぎず、事務椅子の代わりに、車両、船舶又は航空機等の乗物に利用される乗物用シートや施設等の建物内に設置されている座席シートによって座席装置を構成してもよい。
【００２０】
なお、以下の説明中、座席装置の各構成部材の位置、姿勢及び向きについては、特に断る場合を除き、座席装置が通常時の状態（具体的には、着座面が上方を向き、脚の下端が接地している状態）にあるときの内容となっている。
【００２１】
本実施形態に係る座席装置（以下、座席装置１）は、図１に示すように、椅子本体１０と、呼吸センサユニット２０とを有する。先ず、椅子本体１０及び呼吸センサユニット２０の構成について図１乃至図４を参照しながら説明する。図１は、本実施形態に係る座席装置１の外観を示す斜視図である。図２Ａは、椅子本体１０中の着座部１１の外観図である。図２Ｂは、着座部１１の構成についての説明図であり、着座部１１をその構成部品に分解した図である。図３は、着座部１１における呼吸センサユニット２０の配置位置を示す側方断面図であり、図２Ａ中のＸ−Ｘ断面を示す図である。図４は、着座部１１の前端部を側方から見たときの図である。
【００２２】
椅子本体１０は、座席装置１のうち、後述する呼吸センサユニット２０及び後述の覚醒用ユニット６０を除く部分であり、公知の事務椅子と同様の構造である。すなわち、椅子本体１０は、図１に示すように、着座者が着座する着座部１１と、着座者の背が凭れる背凭れ部１２と有する。着座部１１は、図２Ａに示す外観を有し、上面にて着座者の臀部を支持する。着座部１１は、その下方位置に配置された支柱１３によって支持されている。また、支柱１３の下部には、支柱１３を中心として６０度毎又は９０度毎に脚部１４が設けられている。各脚部１４の先端部にはキャスターが取り付けられている。このキャスターが接地している状態にあるとき、着座部１１の上面（すなわち、着座面）に着座者が着座する。
【００２３】
着座部１１の構成について図２Ｂを参照しながら説明すると、着座部１１は、樹脂フレーム１１ａの上にパッド材１１ｂを載置し、このパッド材１１ｂを表皮材１１ｃで覆うことによって構成されている。樹脂フレーム１１ａは、パッド材１１ｂを下方から支えるのに十分なサイズを有する。
【００２４】
また、樹脂フレーム１１ａの下部には、下部フレーム１１ｄが配置されている。この下部フレーム１１ｄは、着座部１１の下部をなす樹脂製のフレームであり、樹脂フレーム１１ａを下方から支持している。下部フレーム１１ｄは、着座部１１の横幅方向に長い横長な五角形状（より厳密には、ホームベース形状）に成形されており、略三角形状の前端部を有している。
【００２５】
また、樹脂フレーム１１ａ、パッド材１１ｂ及び表皮材１１ｃの各々の前端部は、図３に示すように、前端に近付くにつれて下方に下がるように湾曲している。つまり、着座部１１の前端部は、下方に向かって下がった部分（以下、垂下部１１ｔ）を有している。
【００２６】
呼吸センサユニット２０は、着座部１１に着座しているときの着座者の状態に関する計測値、より詳しくは、着座者の覚醒度合い（眠気）に応じて変化する計測値を計測するための機器である。呼吸センサユニット２０は、図１に示すように、圧力センサ２１と、圧力センサ２１から出力された信号の伝送路をなす導線（不図示）と、当該導線が貼り付けられた導線保持フィルム２２とを有する。
【００２７】
圧力センサ２１は、公知の圧力センサからなり、着座部１１内に複数配置され、着座者が着座部１１に着座した際に着座面に掛かる圧力（着座圧）を計測する。ここで、着座圧は、着座者の生理的活動、具体的には呼吸に応じて周期に変化する値であり、圧力センサ２１によって計測される計測値である。また、各圧力センサ２１にて計測される着座圧は、着座者の覚醒度合いを反映して変化する。つまり、各圧力センサ２１は、着座者の覚醒度合いに応じて変化する着座圧を計測するセンサである。各圧力センサ２１は、計測結果に応じた信号を出力する。
【００２８】
なお、本実施形態では、圧力センサ２１が着座部１１中、着座者の臀部が載る箇所付近において、パッド材１１ｂと表皮材１１ｃとに挟まれた状態で配置されている。また、圧力センサ２１は、着座部１１の前後方向及び横幅方向において分散した状態で複数配置されている。
【００２９】
導線は、圧力センサ２１から出力された信号の伝送路をなし、圧力センサ２１毎に設けられている。導線保持フィルム２２は、表裏２層構造となっており、層間に圧力センサ２１及び導線を挟み込んで、これらを保持する。なお、導線保持フィルム２２は、導電性を有する材質からなり、例えばポリエチレンナフタレートからなる。また、導線保持フィルム２２は、容易に変形できる程度の厚み及び可撓性を備えている。
【００３０】
導線保持フィルム２２は、着座部１１の前後方向に沿って延びた部分（以下、幹線部分２２ａ）と、幹線部分２２ａから圧力センサ２１の配置位置に向かって延びた部分（以下、分岐部分２２ｂ）とを有する。また、幹線部分２２ａの中途部分には、それ以外の部分に比較して幅広な幅広部分２２ｃが設けられている。この幅広部分２２ｃの前端部は、前方に向かうに連れて幅が狭くなっていく先細り形状となっている。
【００３１】
ところで、導線保持フィルム２２に保持された導線の末端は、着座部１１の下方に設けられたＥＣＵ７０（ＥＣＵ７０については後述する）に接続されている。つまり、導線及び導線保持フィルム２２は、パッド材１１ｂの上面から着座部１１の下方まで着座部１１を貫くように配置されている。より具体的に説明すると、樹脂フレーム１１ａ及びパッド材１１ｂには貫通孔が形成されている。導線及び導線保持フィルム２２は、この貫通孔に通されることで、パッド材１１ｂの上面から着座部１１の下方に向かうように配置されている。
【００３２】
なお、パッド材１１ｂに形成されている貫通孔は、着座部１１の上下方向（換言すると、パッド材１１ｂの厚み方向）に対して傾斜しており、具体的には、前方に向かうにつれて下がるように傾斜している。また、貫通孔内には、導線保持フィルム２２の幹線部分２２ａ中、幅広部分２２ｃが配置されている。ここで、上記のようにパッド材１１ｂに形成された貫通孔が着座部１１の上下方向に対して傾斜していることにより、貫通孔の全長がより長くなり、結果として、貫通孔内に幅広部分２２ｃ全体を収めることが可能となる。
【００３３】
座席装置１の構成について再び説明すると、座席装置１は、図５等に図示の覚醒用ユニット６０を有する。以下、図５乃至図７を参照しながら覚醒用ユニット６０の構成について説明する。図５は、覚醒用ユニット６０を上方から見た図である。図６は、覚醒用ユニット６０を下方から見た図である。図７は、覚醒用ユニット６０の組み立て図である。
【００３４】
覚醒用ユニット６０は、図５に図示した外観を有し、着座部１１の下部に取り付けられる。覚醒用ユニット６０は、着座者に対して物理的刺激としての振動を付与することにより、着座者の覚醒度合いを高める機構である。覚醒用ユニット６０の具体的な構成について説明すると、覚醒用ユニット６０は、図５、図６及び図７に示すように、振動付与装置６２と、ＥＣＵ７０と、バッテリ７２と、保持器８０と、を有する。
【００３５】
振動付与装置６２は、可動装置に該当し、着座者の覚醒度合いを高めるために振動付与動作を行う。この振動付与装置６２は、アンバランスマス型のモータからなり、図７に示すように、モータ６３と、モータ６３の回転軸に取り付けられた半円柱状の回転子６４と、によって構成されている。回転子６４は、可動部に相当する。そして、振動付与装置６２は、回転子６４を動かす動作として振動付与動作を行い、振動刺激を着座者に付与する。具体的に説明すると、モータ６３が起動して回転子６４が回転することで、着座部１１の周期的な振動が発生する。この振動は、保持器８０や後述の取り付けブラケット９０を介して着座部１１に伝達され、最終的に着座部１１に着座している着座者に到達する。
【００３６】
ＥＣＵ７０は、制御機構に相当し、振動付与装置６２を制御する。より詳しく説明すると、ＥＣＵ７０は、制御基板からなり、ターミナル端子７１を介して圧力センサ２１から延出した導線の末端部に接続されている。ＥＣＵ７０は、圧力センサ２１から出力された信号（すなわち、着座圧の計測結果）を受信し、当該信号に基づいて着座者の現在の覚醒度合いを演算する処理を実行する。そして、ＥＣＵ７０は、演算した覚醒度合いに応じた強度及び頻度にて振動が発生するように振動付与装置６２を制御する。つまり、ＥＣＵ７０は、圧力センサ２１の計測結果に応じて振動付与装置６２を制御する。
【００３７】
ちなみに、着座圧の計測結果に基づいて着座者の覚醒度合いを判定する方法としては、公知の判定方法が利用可能である。例えば、圧力センサ２１の計測結果から着座圧の周期的変化を示す波形を特定し、当該波形の周期（分かり易くは、上記波形においてピークが出現する間隔）の長さから着座者の覚醒度合いを判定することができる。
【００３８】
なお、ターミナル端子７１は、図５に示すように、ＥＣＵ７０の前端部に設けられている。つまり、圧力センサ２１から延出した導線の末端部は、ＥＣＵ７０の前側からＥＣＵ７０に向けて引き込まれてターミナル端子７１に接続されている。
【００３９】
バッテリ７２は、振動付与装置６２及びＥＣＵ７０に電力を供給する機器である。なお、本実施形態に係るバッテリ７２は、図７に図示のように略直方体の外観形状をなしている。保持器８０は、振動付与装置６２、ＥＣＵ７０及びバッテリ７２を保持する容器（ケース）であり、図７に図示した外観を有する。以下、保持器８０の構成について詳しく説明する。
【００４０】
保持器８０は、略舟形状に成形された樹脂製容器であり、上端には開口を有する。この開口は、保持器８０の前端の上方部分にまで至っている。また、保持器８０の底壁の下部には、当該底壁の下面が略直方体状に窪んで形成されたバッテリ収容スペース（不図示）が設けられている。このバッテリ収容スペース内にバッテリ７２が嵌め込まれ、ビス等によってバッテリ７２が保持器８０の底壁に固定される。これにより、図６に示すように、バッテリ７２が保持器８０の底壁に保持されるようになる。
【００４１】
保持器８０は、底壁の周りに側壁８０ａを有している。この側壁８０ａは、保持器８０の底壁を取り囲むように設けられている。そして、保持器８０において側壁８０ａと底壁によって囲まれる空間（以下、保持器８０の内部空間）には、図７に示すように、振動付与装置６２及びＥＣＵ７０が保持（収容）される。具体的に説明すると、保持器８０の内部空間のうち、後側に位置する領域には複数のボス８１が設けられている。ボス８１は、ＥＣＵ７０をビス止めするために設けられたものであり、ＥＣＵ７０をなす略矩形状の制御基板の角部に対応する位置に４つ設けられている。そして、図７に示すように、保持器８０の内部空間の後方部分にＥＣＵ７０が収容され、ＥＣＵ７０の角部に形成されたビス止め孔にビスが挿入され、当該ビスがボス８１に締結される。これにより、ＥＣＵ７０は、保持器８０の内部空間に収められた状態で、保持器８０に保持されるようになる。
【００４２】
なお、保持器８０の内部空間では、図５に示すように、ＥＣＵ７０が保持器８０の底壁において、上述したバッテリ収容スペースを形成するために略直方体状に盛り上がった部分よりも上方に保持されている。
【００４３】
保持器８０の内部空間のうち、前側に位置する領域にはモータ保持部８２が設けられている。このモータ保持部８２は、底壁から立ちあがった一対の垂直壁と、それぞれの垂直壁に対して直交するように設けられた一対の直交壁とを有する。そして、垂直壁と直交壁とによって囲まれる格子状のスペース内に振動付与装置６２のモータ６３が嵌まり込まれる。その後、モータ６３の外表面に図７に図示の押さえ板８３が係合される。さらに、押さえ板８３は、保持器８０の所定部分（厳密には、保持器８０の底壁において、上述したバッテリ収容スペースを形成するために略直方体状に盛り上がった部分）に固定される。これにより、モータ６３を含む振動付与装置６２が押さえ板８３によってモータ保持部８２に押さえ付けられた状態でモータ保持部８２に保持されるようになる。
【００４４】
上述のように、保持器８０は、振動付与装置６２、ＥＣＵ７０及びバッテリを保持するように構成されている。これにより、本実施形態では、上記３つの機器に対して保持器を個別に設ける構成と比較して、部品点数（保持器の個数）がより少なくなっている。
【００４５】
以上までに説明した覚醒用ユニット６０は、図３及び図４に示すように、着座部１１の前端部の下方位置に取り付けられている。より具体的に説明すると、振動付与装置６２、ＥＣＵ７０及びバッテリ７２を保持した状態の保持器８０が取り付けブラケット９０を介して着座部１１の下部フレーム１１ｄに取り付けられている。これにより、覚醒用ユニット６０が着座部１１の前端部の下方位置に配置されるようになる。
【００４６】
以下、覚醒用ユニット６０の取り付け構造について図８乃至図１２を参照しながら説明する。図８は、取り付けブラケット９０により覚醒用ユニット６０を着座部１１の下部フレーム１１ｄに取り付ける方法に関する説明図である。図９Ａ及び図９Ｂは、取り付けブラケット９０を示す図であり、図９Ａが斜視図を、図９Ｂが正面図をそれぞれ示している。図１０は、着座部１１に取り付けられた覚醒用ユニット６０を上方から見た図である。なお、同図は、覚醒用ユニット６０の取り付け状態を図示し易くするため、着座部１１の下部フレーム１１ｄよりも上方に位置する部分（具体的には、樹脂フレーム１１ａ、パッド材１１ｂ及び表皮材１１ｃ）の図示を省略している。図１１は、図１０のＡ−Ａ断面図である。図１２は、図３中、取り付けブラケット９０周辺の拡大図です。
【００４７】
先ず、取り付けブラケット９０の構成について説明する。取り付けブラケット９０は、板状部材であり、図９Ａ及び図９Ｂに図示の外観を有する。本実施形態において、取り付けブラケット９０は、金属プレートによって構成されている。ただし、これに限定されるものではなく、樹脂プレートによって構成されてもよい。
【００４８】
取り付けブラケット９０は、上方視で略長方形型の形状をなしている。取り付けブラケット９０は、図８に示すように、その長手方向が着座部１１の横幅方向に沿った状態で座席装置１の下部フレーム１１ｄに固定される。具体的に説明すると、取り付けブラケット９０の長手方向中央部には固定孔９３が形成されている。この固定孔９３は、板状部材固定部に相当し、取り付けブラケット９０を着座部１１に固定するために形成されたものである。そして、固定孔９３に固定具としてのボルトが挿通され、このボルトの先端部が下部フレーム１１ｄに形成されたボルト孔１１ｅに嵌合される。これにより、取り付けブラケット９０が下部フレーム１１ｄの下面（より厳密には下部フレーム１１ｄの前端部の下面）に固定されるようになる。
【００４９】
また、取り付けブラケット９０の長手方向の両端部には、図８及び図９Ａに示すように、それぞれ、爪状の取り付け用突起９１が設けられている。この取り付け用突起９１は、取り付け部に該当し、取り付けブラケット９０の長手方向の端部における縁部から舌状に垂下している部分である。また、取り付けブラケット９０が着座部１１に固定された状態において、取り付け用突起９１は、図８に示すように、着座部１１の上下方向に沿って延出しており、厳密には下方に向かって突出している。
【００５０】
そして、取り付け用突起９１には保持器８０の側壁８０ａが取り付けられる。換言すると、側壁８０ａは、取り付け用突起９１に取り付けられる被取り付け部に相当する。なお、本実施形態では、後述するように、側壁８０ａが所定の取り付け方向において取り付け用突起９１に取り付けられる。
【００５１】
また、本実施形態において、取り付け用突起９１は、図８及び図９Ａに示すように、取り付けブラケット９０の長手方向の両端部のそれぞれに、２個ずつ設けられている。ここで、取り付けブラケット９０の長手方向の一端部に設けられている取り付け用突起９１は、第一取り付け部に相当し、以下では、第一取り付け用突起９１ａと呼ぶ。また、取り付けブラケット９０の長手方向の他端部に設けられている取り付け用突起９１は、第二取り付け部に相当し、以下では、第二取り付け用突起９１ｂと呼ぶ。
【００５２】
第一取り付け用突起９１ａ及び第二取り付け用突起９１ｂは、図９Ａに示すように、取り付けブラケット９０の長手方向（換言すると、後述の取り付け方向）において互いに離れた位置に形成されている。また、上述の固定孔９３は、取り付けブラケット９０の長手方向（換言すると、後述の取り付け方向）において第一取り付け用突起９１ａ及び第二取り付け用突起９１ｂの間に位置している。換言すると、取り付けブラケット９０の長手方向において第一取り付け用突起９１ａと第二取り付け用突起９１ｂとの間に固定孔９３が形成されている。これにより、取り付け用突起９１に保持器８０の側壁８０ａを取り付ける際、取り付けブラケット９０を着座部１１に固定するために固定孔９３に挿入されたボルトと干渉してしまう状況を容易に回避することが可能となる。
【００５３】
また、第一取り付け用突起９１ａ及び第二取り付け用突起９１ｂは、上述したように２個ずつ設けられている。すなわち、図９Ａ及び図９Ｂに示すように、第一取り付け用突起９１ａは、取り付けブラケット９０の短手方向において互いに離れた位置に２個設けられている。同様に、第二取り付け用突起９１ｂについても、取り付けブラケット９０の短手方向において互いに離れた位置に２個設けられている。そして、それぞれの取り付け用突起９１には、ネジ止め用の貫通孔９１ｈが形成されている。
【００５４】
また、取り付けブラケット９０の短手方向の一端部（具体的には、取り付けブラケット９０が着座部１１に固定された状態において前側に位置する端部）には、図８及び図９Ａに示すように、爪状の係合突起９２が設けられている。この係合突起９２は、係合部に相当し、取り付けブラケット９０の短手方向の一端部の縁部から舌状に立ち上がっている。また、取り付けブラケット９０が着座部１１に固定された状態において、係合突起９２は、図８に示すように、着座部１１の上下方向に沿って延出しており、厳密には上方に向かって突出している。
【００５５】
そして、取り付けブラケット９０が着座部１１に固定された状態において、係合突起９２は、図１０に示すように、着座部１１の下部フレーム１１ｄの前端部と係合する。つまり、係合突起９２は、着座部１１の前後方向（すなわち、後述の取り付け方向と交差する方向）を係合方向として下部フレーム１１ｄと係合する。このように係合突起９２が下部フレーム１１ｄと係合することにより、取り付けブラケット９０が下部フレーム１１ｄに対して回転してしまうのを防止することが可能となる。つまり、係合突起９２は、取り付けブラケット９０の回り止めとして機能する。この機能により、取り付けブラケット９０は、より安定した状態で下部フレーム１１ｄに固定されるようになる。
【００５６】
なお、本実施形態では、図８及び図９Ａに示すように、取り付けブラケット９０の長手方向（すなわち、後述の取り付け方向）において互いに離れた位置に２つの係合突起９２が形成されている。一方の係合突起９２は、第一係合部に相当し、以下では、第一係合突起９２ａと呼ぶ。もう一方の係合突起９２は、第二係合部に相当し、以下では、第二係合突起９２ｂと呼ぶ。
【００５７】
また、取り付けブラケット９０の短手方向において、係合突起９２が設けられている側とは反対側の端部には、図８及び図９Ａに示すように、爪状の当接突起９４が設けられている。この当接突起９４は、当接部に相当し、取り付けブラケット９０の短手方向において係合突起９２と対向するように舌状に立ち上がっている。また、取り付けブラケット９０が着座部１１に固定された状態において、当接突起９４は、図８に示すように、着座部１１の上下方向に沿って延出しており、厳密には上方に向かって突出している。また、当接突起９４の突出量は、係合突起９２の突出量よりも幾分小さくなっている。つまり、当接突起９４は、その上端が係合突起９２の上端よりも低くなるように形成されている。
【００５８】
そして、取り付けブラケット９０が着座部１１に固定された状態において、当接突起９４は、図１２に示すように、着座部１１の下部フレーム１１ｄの下面と当接している。このように当接突起９４が下部フレーム１１ｄの下面と係合することにより、取り付けブラケット９０が下部フレーム１１ｄに対して位置決めされるようになる。つまり、当接突起９４は、取り付けブラケット９０の位置決めとして機能する。この機能により、取り付けブラケット９０は、着座部１１の上下方向において所定の固定位置に位置した状態で固定されるようになる。
【００５９】
なお、本実施形態では、図８及び図９Ａに示すように、当接突起９４が係合突起９２と対応するように、２つの当接突起９４が設けられている。２つの当接突起９４は、取り付けブラケット９０の長手方向（すなわち、後述の取り付け方向）において互いに離れた位置にある。一方の当接突起９４は、第一当接部に相当し、以下では第一当接突起９４ａと呼ぶ。もう一方の当接突起９４は、第二当接部に相当し、以下では第二当接突起９４ｂと呼ぶ。
【００６０】
各当接突起９４は、取り付けブラケット９０の短手方向の端部（係合突起９２が設けられている側とは反対側の端部）において、係合突起９２と対応する位置に設けられている。具体的に説明すると、第一当接突起９４ａは、取り付けブラケット９０の長手方向において第一係合突起９２ａと同じ位置に設けられている。第二当接突起９４ｂは、取り付けブラケット９０の長手方向において第二係合突起９２ｂと同じ位置に設けられている。
【００６１】
また、取り付けブラケット９０には、図９Ａ及び図９Ｂに示すように係合突起９２と当接突起９４との間を連結するリブが設けられている。より具体的に説明すると、第一係合突起９２ａと第一当接突起９４ａとの間には、両者を連結するように延出した第一連結リブ９５ａが設けられている。また、第二係合突起９２ｂと第二当接突起９４ｂとの間には、両者を連結するように延出した第二連結リブ９５ｂが設けられている。第一連結リブ９５ａ及び第二連結リブ９５ｂは、いずれも取り付けブラケット９０の短手方向に沿って延出しており、その両端部は、対応する係合突起９２及び当接突起９４に達している。
【００６２】
第一連結リブ９５ａ及び第二連結リブ９５ｂの形状について図９Ａ及び図９Ｂを参照しながら説明すると、各連結リブの上端面の中途部分（取り付けブラケット９０の短手方向における中途部分）は、それ以外の部分より一段低くなっている。なお、各リブの上端面のうち、中途部分以外の部分は、対応する当接突起９４の上端と同じ高さにある一方で、対応する係合突起９２の上端よりも若干低い高さにある。したがって、取り付けブラケット９０が着座部１１に固定された状態では、各連結リブの上端面のうち、一段低くなった中途部分以外の部分が当接突起９４とともに着座部１１の下部フレーム１１ｄの下面と当接している。これにより、取り付けブラケット９０の固定状態をより安定化させることが可能となる。さらに、取り付けブラケット９０中、下部フレーム１１ｄに固定される部分の剛性を向上させることが可能となる。
【００６３】
ちなみに、本実施形態では、下部フレーム１１ｄの下面が前後方向に対して緩やかにカーブしている湾曲面となっている。つまり、本実施形態において、当接突起９４及び各連結リブの上端は、湾曲面となった下部フレーム１１ｄの下面と当接する。
【００６４】
本実施形態では、第一連結リブ９５ａ及び第二連結リブ９５ｂが取り付けブラケット９０とは別部品となっており、溶接等によって取り付けブラケット９０に取り付けられている。ただし、これに限定されるものではなく、第一連結リブ９５ａ及び第二連結リブ９５ｂに相当する部分が、取り付けブラケット９０の一部として形成され、取り付けブラケット９０の成形時に当該連結リブが一体的に成形されてもよい。例えば、取り付けブラケット９０の加工成形時、取り付けブラケット９０における第一連結リブ９５ａ及び第二連結リブ９５ｂが設けられている箇所に、当該連結リブの代わりにビード（隆起部）が設けられていてもよい。
【００６５】
次に、上記の取り付けブラケット９０を利用して覚醒用ユニット６０を着座部１１に取り付けるための構成について説明する。覚醒用ユニット６０の取り付けに際して、振動付与装置６２、ＥＣＵ７０及びバッテリ７２が保持器８０に保持される。その後、保持器８０の側壁８０ａが、着座部１１の下部フレーム１１ｄの前端部に固定された状態の取り付けブラケット９０の取り付け用突起９１（より厳密には、第一取り付け用突起９１ａ及び第二取り付け用突起９１ｂ）に取り付けられる。これにより、覚醒用ユニット６０が取り付けブラケット９０を介して着座部１１に取り付けられる。
【００６６】
本実施形態において、取り付け用突起９１に保持器８０の側壁８０ａが取り付けられる方向、すなわち取り付け方向は、図８に示すように、着座部１１の横幅方向に沿っている。より詳しく説明すると、取り付けブラケット９０は、その長手方向が着座部１１の横幅方向に沿った状態で着座部１１の下部フレーム１１ｄに固定される。また、取り付けブラケット９０の長手方向における両端部には、下方に突出した取り付け用突起９１が設けられている。
【００６７】
そして、図８に示すように、振動付与装置６２、ＥＣＵ７０及びバッテリ７２を保持した保持器８０を取り付けブラケット９０の下方から取り付けブラケット９０に近付ける。やがて、保持器８０は、側壁８０ａの内側に取り付けブラケット９０が収まる位置に至る。つまり、取り付けブラケット９０が保持器８０の内部空間に入り込み、取り付け用突起９１が側壁８０ａ（厳密には、側壁８０ａの中で着座部１１の横幅方向の端部に位置する部分）の内側で当該側壁８０ａと隣接するようになる。換言すると、取り付け用突起９１は、着座部１１の横幅方向の外側から側壁８０ａによって覆われるようになる。
【００６８】
また、側壁８０ａの、取り付け用突起９１と隣接する部分には、図７に示すように、取り付け孔８０ｂが形成されている。この取り付け孔８０ｂは、取り付け用突起９１の個数及び位置に対応させて複数箇所（具体的には４カ所）に形成されている。各取り付け孔８０ｂは、対応する取り付け用突起９１（具体的には、対向位置にある取り付け用突起９１）の貫通孔９１ｈと連通する。そして、連通した取り付け孔８０ｂ及び貫通孔９１ｈの双方に対して、取り付け具としてのタッピングネジＴが着座部１１の横幅方向に沿う方向において挿入される。これにより、取り付け用突起９１に保持器８０の側壁８０ａが取り付けられる。
【００６９】
以上のように、本実施形態では、取り付け用突起９１に保持器８０の側壁８０ａを取り付け、その取り付け方向が着座部１１の横幅方向に沿っている。このような構成であれば、保持器８０を着座部１１の下部フレーム１１ｄにより容易に取り付けることが可能となる。より詳しく説明すると、例えば、保持器８０を下部フレーム１１ｄにタッピングネジＴにて直接取り付けようとした場合、着座部１１の上下方向に沿って（厳密には上方に向けて）タッピングネジＴを操作することになる。これに対して、本実施形態では、タッピングネジＴを側方から（すなわち、着座部１１の横幅方向に沿って）操作することになるので、当該ネジ操作がより容易になる。この結果、保持器８０を含む覚醒用ユニット６０が下部フレーム１１ｄに対してより容易に取り付けられるようになる。
【００７０】
また、取り付け用突起９１に保持器８０の側壁８０ａが取り付けられた状態では、取り付けブラケット９０が保持器８０内に位置している。つまり、図１０に示すように、取り付け用突起９１が着座部１１の横幅方向（すなわち、取り付け方向）において保持器８０の側壁８０ａに覆われている。このように本実施形態では、覚醒用ユニット６０が着座部１１に取り付けられた状態で取り付け用突起９１の露出が側壁８０ａによって抑制されている。これにより、覚醒用ユニット６０を備えた座席装置１の外観を良好なものとすることができ、より詳しくは、取り付け用突起９１が側方から見えてしまう事態を回避することが可能となる。
【００７１】
また、着座部１１の前端部は、下方に向かって下がった垂下部１１ｔを有している。この垂下部１１ｔは、図４に示すように、取り付け用突起９１に保持器８０の側壁８０ａが取り付けられた状態において保持器８０の前端よりも前側に位置する。また、かかる状態において、垂下部１１ｔは、着座部１１の前後方向において保持器８０の前端の少なくとも一部を覆っている。より具体的に説明すると、垂下部１１ｔは、保持器８０の前端の上方部分まで至った開口を覆っている。これにより、保持器８０の前端部（特に、開口付近にある部分）は、垂下部１１ｔに覆われることで保護されるようになる。
【００７２】
＜＜その他の実施形態＞＞
以上までに本発明の座席装置の構成について一例を挙げて説明したが、上記の実施形態は、本発明の理解を容易にするためのものであり、本発明を限定するものではない。すなわち、本発明は、その趣旨を逸脱することなく、変更、改良され得ると共に、本発明にはその等価物が含まれることは勿論である。
【００７３】
また、上記の実施形態では、可動装置として、着座者の覚醒度合いを高めるための振動付与装置６２を用いることとした。ただし、これに限定されるものではなく、振動以外の刺激によって着座者の覚醒度合いを高めるもの、例えば音声を発生（再生）させる装置も利用可能である。また、可動装置の用途については、覚醒用に限定されるものではなく、他の用途、具体的には、覚醒度合い以外の着座者の状態（例えば、緊張度合い）を調整する目的で可動装置が用いられてもよい。
【００７４】
また、上記の実施形態では、取り付けブラケット９０の取り付け用突起９１に保持器８０の側壁８０ａをタッピングネジＴにて取り付け、その取り付け方向（ネジ操作方向）が着座部１１の横幅方向に沿っていることとした。ただし、これに限定されるものではなく、取り付け方向は、着座部１１の前後方向に沿っていてもよい。すなわち、取り付けブラケット９０の縁部の前端や後端に取り付け用突起９１が設けられており、当該取り付け用突起９１に保持器８０の側壁８０ａを取り付ける際に、タッピングネジＴを着座部１１の前後方向に沿って操作してもよい。
【００７５】
また、上記の実施形態では、取り付けブラケット９０に保持器８０を取り付ける手段としてタッピングネジＴを用いることとした。ただし、これに限定されるものではなく、保持器８０がタッピングネジＴ以外の手段によって取り付けブラケット９０に取り付け可能な構造を採用してもよく、例えば、スナップフィット構造や凹凸嵌合構造を採用してもよい。かかる取り付け構造を採用する場合には、着座部１１の上下方向において保持器８０を取り付けブラケット９０に取り付けてもよい。
【符号の説明】
【００７６】
１  座席装置
１０  椅子本体
１１  着座部
１１ａ  樹脂フレーム
１１ｂ  パッド材
１１ｃ  表皮材
１１ｄ  下部フレーム（フレーム）
１１ｅ  ボルト孔
１１ｔ  垂下部（下方に向かって下がった部分）
１２  背凭れ部
１３  支柱
１４  脚部
２０  呼吸センサユニット
２１  圧力センサ（センサ）
２２  導線保持フィルム
２２ａ  幹線部分
２２ｂ  分岐部分
２２ｃ  幅広部分
６０  覚醒用ユニット
６２  振動付与装置（可動装置）
６３  モータ
６４  回転子（可動部）
７０  ＥＣＵ（制御機構）
７１  ターミナル端子
７２  バッテリ
８０  保持器
８０ａ  側壁（被取り付け部）
８０ｂ  取り付け孔
８１  ボス
８２  モータ保持部
８３  押さえ板
９０  取り付けブラケット（板状部材）
９１  取り付け用突起（取り付け部）
９１ａ  第一取り付け用突起（第一取り付け部）
９１ｂ  第二取り付け用突起（第二取り付け部）
９１ｈ  貫通孔
９２  係合突起（係合部）
９２ａ  第一係合突起（第一係合部）
９２ｂ  第二係合突起（第二係合部）
９３  固定孔（板状部材固定部）
９４  当接突起（当接部）
９４ａ  第一当接突起（第一当接部）
９４ｂ  第二当接突起（第二当接部）
９５ａ  第一連結リブ
９５ｂ  第二連結リブ
Ｔ  タッピングネジ
【図１】
2018079238.tif 000003
【図２Ａ】
2018079238.tif 000004
【図２Ｂ】
2018079238.tif 000005
【図３】
2018079238.tif 000006
【図４】
2018079238.tif 000007
【図５】
2018079238.tif 000008
【図６】
2018079238.tif 000009
【図７】
2018079238.tif 000010
【図８】
2018079238.tif 000011
【図９Ａ】
2018079238.tif 000012
【図９Ｂ】
2018079238.tif 000013
【図１０】
2018079238.tif 000014
【図１１】
2018079238.tif 000015
【図１２】
2018079238.tif 000016